(57)【特許請求の範囲】
【請求項１】
複数の気筒を有するエンジン本体と、エンジン本体の各気筒から排出された排気ガスが通過する排気マニホールドと、エンジン本体および排気マニホールドに含まれる各種機器を制御する制御手段とを備えた多気筒ガソリンエンジンであって、
上記エンジン本体は、ガソリンを含有する燃料を噴射するインジェクタと火花放電により混合気への点火を行う点火プラグとを気筒ごとに有するとともに、各気筒に導入される新気の量を調整するための吸気量調整手段と、各気筒の排気ポートを開閉する排気弁を排気行程のみで開弁させる通常モードで駆動するか排気行程に加えて吸気行程でも開弁させる２度開きモードで駆動するかを切り替え可能な切替機構とを有し、
上記排気マニホールドは、１つの気筒もしくは排気順序が連続しない複数の気筒の各排気ポートに上流端部が接続された複数の独立排気通路と、各独立排気通路の下流端部どうしが独立状態を維持したまま互いに近接するように束ねられた集約部と、集約部の下流側に設けられ、各独立排気通路の下流端部から排気ガスが噴出されるのに伴い負圧が発生するように先細り状に形成されたノズル部を含む負圧発生装置と、上記各独立排気通路の途中部から分岐して延びるとともに下流側で合流し、かつ上記負圧発生装置より下流側の排気通路と連通するバイパス通路と、上記各バイパス通路に設けられた開閉可能な流通切替弁とを有し、
上記制御手段は、所定の第１運転領域で混合気の自着火による燃焼であるＣＩ燃焼が行われ、かつ上記第１運転領域よりも高負荷側に設定された第２運転領域で火花点火による強制燃焼であるＳＩ燃焼が行われるように、上記インジェクタ、点火プラグ、吸気量調整手段、切替機構、および流通切替弁を制御するものであり、
上記第１運転領域では、排気弁が上記２度開きモードで駆動されるように上記切替機構が制御されるとともに、排気ガスが上記バイパス通路を通って負圧発生装置を迂回するように上記流通切替弁が開弁され、
上記第１運転領域のうち、予め定められた第１所定負荷よりも高負荷側では、負荷が高いほど新気の量が増大するように上記吸気量調整手段が制御され、
上記第２運転領域では、上記流通切替弁の開度が上記第１運転領域のときよりも低減されることを特徴とする多気筒ガソリンエンジン。
【請求項２】
請求項１記載の多気筒ガソリンエンジンにおいて、
上記第２運転領域のうち、予め定められた第２所定負荷よりも低負荷側では、排気弁が上記２度開きモードで駆動されるように上記切替機構が制御されることを特徴とする多気筒ガソリンエンジン。
【請求項３】
請求項２記載の多気筒ガソリンエンジンにおいて、
上記第２運転領域における上記第２所定負荷よりも高負荷側では、排気弁が上記通常モードで駆動されるように上記切替機構が制御されるとともに、上記流通切替弁が全閉に設定されることを特徴とする多気筒ガソリンエンジン。
【請求項４】
請求項１〜３のいずれか１項に記載の多気筒ガソリンエンジンにおいて、
上記排気マニホールドに排出された排気ガスを吸気マニホールドに還流するためのＥＧＲ通路と、ＥＧＲ通路に設けられた開閉可能なＥＧＲ弁と、ＥＧＲ通路を通過する排気ガスを冷却するＥＧＲクーラとをさらに備え、
上記ＥＧＲ弁は、上記第１所定負荷よりも負荷が低いときに全閉とされ、第１所定負荷よりも負荷が高いときに開弁されることを特徴とする多気筒ガソリンエンジン。
【請求項５】
請求項１〜４のいずれか１項に記載の多気筒ガソリンエンジンにおいて、
上記第１運転領域では、上記インジェクタから吸気行程中に燃料が噴射されることによりＣＩ燃焼が行われ、
上記第２運転領域では、上記インジェクタからの燃料噴射と上記点火プラグによる火花点火とが圧縮行程後期から膨張行程初期にかけて順に実行され、それに基づいてＳＩ燃焼が行われることを特徴とする多気筒ガソリンエンジン。
【発明の詳細な説明】
【技術分野】
【０００１】
本発明は、複数の気筒を有するエンジン本体と、エンジン本体の各気筒から排出された排気ガスが通過する排気マニホールドと、エンジン本体および排気マニホールドに含まれる各種機器を制御する制御手段とを備えた多気筒ガソリンエンジンに関する。
【背景技術】
【０００２】
従来、ガソリンエンジンの分野では、点火プラグの火花点火によって混合気を強制的に燃焼させる火花点火燃焼を採用することが一般的であったが、近年、このような火花点火燃焼に代えて、いわゆる圧縮自己着火燃焼をガソリンエンジンに適用する研究が進められている。圧縮自己着火燃焼とは、ピストンの圧縮によりつくり出される高温・高圧の環境下で混合気を自着火により燃焼させることである。圧縮自己着火燃焼は、混合気が同時多発的に自着火する燃焼であり、火炎伝播により徐々に燃焼が拡がる火花点火燃焼に比べて燃焼期間が短く、より高い熱効率が得られるといわれている。なお、以下では、火花点火燃焼（Spark Ignition Combustion）のことを「ＳＩ燃焼」と略称し、圧縮自己着火燃焼（Compression Self-Ignition Combustion）のことを「ＣＩ燃焼」と略称する。
【０００３】
上記ＣＩ燃焼が適用されたガソリンエンジンに関する文献として、例えば下記の特許文献１および特許文献２が知られている。
【０００４】
特許文献１には、エンジンの低負荷域でＣＩ燃焼を行い、エンジンの高負荷域でＳＩ燃焼を行うというように、エンジンの負荷に応じて燃焼形式を切り替えることが開示されている。
【０００５】
特許文献２には、ＣＩ燃焼での運転時に、排気弁を排気行程だけでなく吸気行程でも開き、一旦排出された高温の排気ガス（既燃ガス）を排気ポートから筒内に逆流させることにより、筒内温度を上昇させ、混合気の自着火を促進することが開示されている。なお、以下では、この特許文献２に記載されているような排気ガスの逆流操作のことを、「内部ＥＧＲ」（Internal Exhaust Gas Recirculation）と称する。
【先行技術文献】
【特許文献】
【０００６】
【特許文献１】特開２００９−９１９９４号公報
【特許文献２】特開２００７−１３２３１９号公報
【発明の概要】
【発明が解決しようとする課題】
【０００７】
ここで、上記特許文献２のように、混合気の自着火を促進するために内部ＥＧＲを行う場合、特に燃料の噴射量が少ない（よって着火性が悪化し易い）エンジンの極低負荷域においては、内部ＥＧＲによって高温の排気ガス（内部ＥＧＲガス）を大量に筒内に導入する必要がある。しかしながら、上記特許文献２のように単に排気弁を吸気行程中に開いただけでは、充分な量の排気ガスを筒内に導入できす、筒内の高温化を充分に達成できないおそれがある。
【０００８】
逆に、混合気の自着火による燃焼（ＣＩ燃焼）を行う運転領域において、負荷にかかわらずむやみに多量の内部ＥＧＲガスを筒内に導入すると、負荷によっては新気が不足して、適正なトルクが得られなくことも考えられる。
【０００９】
一方、エンジンの低負荷域で確実にＣＩ燃焼を実現するには、エンジンの圧縮比を高くすることが有効であるが、エンジンの圧縮比が高くなると、燃料の噴射量が増大される高負荷域において、ノッキング等の異常燃焼が起き易くなるという問題がある。
【００１０】
本発明は、上記のような事情に鑑みてなされたものであり、低負荷域でＣＩ燃焼を行う際に着火性を確保しつつ適当量の新気を確保し、さらに高負荷域でＳＩ燃焼を行う際には異常燃焼を防止することが可能な多気筒ガソリンエンジンを提供することを目的とする。
【課題を解決するための手段】
【００１１】
上記課題を解決するためのものとして、本発明は、複数の気筒を有するエンジン本体と、エンジン本体の各気筒から排出された排気ガスが通過する排気マニホールドと、エンジン本体および排気マニホールドに含まれる各種機器を制御する制御手段とを備えた多気筒ガソリンエンジンであって、上記エンジン本体は、ガソリンを含有する燃料を噴射するインジェクタと火花放電により混合気への点火を行う点火プラグとを気筒ごとに有するとともに、各気筒に導入される新気の量を調整するための吸気量調整手段と、各気筒の排気ポートを開閉する排気弁を排気行程のみで開弁させる通常モードで駆動するか排気行程に加えて吸気行程でも開弁させる２度開きモードで駆動するかを切り替え可能な切替機構とを有し、上記排気マニホールドは、１つの気筒もしくは排気順序が連続しない複数の気筒の各排気ポートに上流端部が接続された複数の独立排気通路と、各独立排気通路の下流端部どうしが独立状態を維持したまま互いに近接するように束ねられた集約部と、集約部の下流側に設けられ、各独立排気通路の下流端部から排気ガスが噴出されるのに伴い負圧が発生するように先細り状に形成されたノズル部を含む負圧発生装置と、上記各独立排気通路の途中部から分岐して延びるとともに下流側で合流し、かつ上記負圧発生装置より下流側の排気通路と連通するバイパス通路と、上記各バイパス通路に設けられた開閉可能な流通切替弁とを有し、上記制御手段は、所定の第１運転領域で混合気の自着火による燃焼であるＣＩ燃焼が行われ、かつ上記第１運転領域よりも高負荷側に設定された第２運転領域で火花点火による強制燃焼であるＳＩ燃焼が行われるように、上記インジェクタ、点火プラグ、吸気量調整手段、切替機構、および流通切替弁を制御するものであり、上記第１運転領域では、排気弁が上記２度開きモードで駆動されるように上記切替機構が制御されるとともに、排気ガスが上記バイパス通路を通って負圧発生装置を迂回するように上記流通切替弁が開弁され、上記第１運転領域のうち、予め定められた第１所定負荷よりも高負荷側では、負荷が高いほど新気の量が増大するように上記吸気量調整手段が制御され、上記第２運転領域では、上記流通切替弁の開度が上記第１運転領域のときよりも低減されることを特徴とするものである（請求項１）。
【００１２】
なお、「ガソリンを含有する燃料」とは、ガソリン１００％の燃料だけでなく、ガソリンとそれ以外の燃料成分とが混合したものをも含む概念である。例えば、ＣＩ燃焼は、エタノール（アルコール）とガソリンとが混合された燃料でも実現可能であるので、このような燃料により駆動されるエンジンにも本発明は適用可能である。
【００１３】
本発明では、相対的に負荷の低い第１運転領域において、排気弁が２度開きモード（排気行程に加えて吸気行程でも開弁させるモード）で駆動されることにより、各気筒の排気ポートから筒内に高温の排気ガスが逆流する内部ＥＧＲが実現され、筒内温度の上昇が図られる。これにより、負荷が低く混合気の着火性が厳しい第１運転領域において、混合気の自着火を促進し、適正なＣＩ燃焼を引き起こすことができる。しかも、上記第１運転領域では、各気筒からの排気ガスがバイパス通路を通る（負圧発生装置を迂回する）ように排気ガスの流通が切り替えられるため、負圧発生装置で生じる負圧に伴うエゼクタ効果（排気ガスの下流側への吸引効果）が無効化される結果、ある気筒からブローダウンガス（排気弁９の開弁直後に勢いよく排出される排気ガス）が排出されたときには、このブローダウンガスによる大きな正圧が、排気順序が１つ前の先行気筒の排気ポートに作用して排気ガスの排出を阻害するようになる（排気干渉）。上記実施形態では、あえてこのような排気干渉をつくり出した上で、排気弁を２度開きモードで駆動することにより、排気ポートから筒内に多量の排気ガスを逆流させて、内部ＥＧＲガスの量を増大させることができる。このことは、筒内温度の上昇に有利となり、混合気の自着火促進につながるので、低負荷域でのＣＩ燃焼をより確実に引き起こすことができる。
【００１４】
加えて、本発明では、第１運転領域において負荷が所定負荷（第１所定負荷）よりも高くなった場合に、負荷が高いほど新気の量が増えるように吸気弁のリフト量が増大されるので、相対的に負荷が高くなって必要な新気の量が増えたときに、これに合わせて新気の量を徐々に増大させつつ内部ＥＧＲガスの量を減らすことができる。これにより、内部ＥＧＲガスの量と新気量との割合を負荷に応じて適正に調整することができ、ポンピングロスの低減を図りながら適正なエンジントルクを確保することができる。
【００１５】
一方、上記第１運転領域よりも負荷の高い第２運転領域では、流通切替弁の開度が第１運転領域のときよりも低減されるので、バイパス通路を通る排気ガスの量が減少するとともに負圧発生装置に流入する排気ガスの量が増えることになる。これにより、負圧発生装置で発生する負圧に基づくエゼクタ効果により排気ガスが下流側に吸い出され、筒内の掃気（筒内に残留する高温の排気ガスを排気ポートに排出すること）が図られる。そして、このように筒内の掃気性が確保された状態で、火花点火によるＳＩ燃焼が実行されるため、例えば火花点火のタイミングを極端に遅くするなどの措置を採らなくても、異常燃焼を伴わない適正な燃焼を実現することができ、異常燃焼を防止しつつ高い熱効率を得ることができる。
【００１６】
本発明において、好ましくは、上記第２運転領域のうち、予め定められた第２所定負荷よりも低負荷側では、排気弁が上記２度開きモードで駆動されるように上記切替機構が制御される（請求項２）。
【００１７】
この構成によれば、第２運転領域に移行したところで急激に内部ＥＧＲガスの量が減少することが避けられ、燃焼が不安定化するのを効果的に防止することができる。
【００１８】
上記構成において、より好ましくは、上記第２運転領域における上記第２所定負荷よりも高負荷側では、排気弁が上記通常モードで駆動されるように上記切替機構が制御されるとともに、上記流通切替弁が全閉に設定される（請求項３）。
【００１９】
この構成によれば、第２運転領域の中でも負荷がある程度高まったときに、内部ＥＧＲを禁止するとともに、実質的に全ての排気ガスを負圧発生装置に流入させることができる。これにより、負圧発生装置で強い負圧が発生し、この負圧が各気筒の排気ポートに到達して排気ガスの下流側への吸い出し（エゼクタ効果）が促進されることにより、筒内に高温の排気ガスが残留することが効果的に防止され、より一層の掃気が図られる。
【００２０】
本発明において、好ましくは、上記エンジンは、上記排気マニホールドに排出された排気ガスを吸気マニホールドに還流するためのＥＧＲ通路と、ＥＧＲ通路に設けられた開閉可能なＥＧＲ弁と、ＥＧＲ通路を通過する排気ガスを冷却するＥＧＲクーラとをさらに備え、上記ＥＧＲ弁は、上記第１所定負荷よりも負荷が低いときに全閉とされ、第１所定負荷よりも負荷が高いときに開弁される（請求項４）。
【００２１】
この構成によれば、第１所定負荷よりも負荷が高くなって内部ＥＧＲガスが減少するのに伴い、ＥＧＲクーラで冷却された低温の排気ガス（外部ＥＧＲガス）を筒内に導入することができ、筒内温度が過度に上昇するのを防止しつつ、ポンピングロスを効果的に低減することができる。
【００２２】
本発明において、好ましくは、上記第１運転領域では、上記インジェクタから吸気行程中に燃料が噴射されることによりＣＩ燃焼が行われ、上記第２運転領域では、上記インジェクタからの燃料噴射と上記点火プラグによる火花点火とが圧縮行程後期から膨張行程初期にかけて順に実行され、それに基づいてＳＩ燃焼が行われる（請求項５）。
【００２３】
この構成によれば、相対的に負荷の低い第１運転領域で、吸気行程中の燃料噴射に基づく均質な混合気をＣＩ燃焼させて高い熱効率を得ることができる。一方、高負荷側の第２運転領域では、圧縮行程の後期以降という遅めのタイミングで燃料噴射と火花点火とが実行されるため、圧縮上死点を過ぎて筒内温度・圧力がある程度低下してから混合気が火炎伝播により燃焼（ＳＩ燃焼）する。このため、低負荷域でのＣＩ燃焼実現のために仮にエンジンの幾何学的圧縮比がかなり高く設定されたとしても、高負荷域で起き易い異常燃焼を確実に回避することができる。
【発明の効果】
【００２４】
以上説明したように、本発明の多気筒ガソリンエンジンによれば、低負荷域でＣＩ燃焼を行う際に着火性を確保しつつ適当量の新気を確保し、さらに高負荷域でＳＩ燃焼を行う際には異常燃焼を防止することができる。
【図面の簡単な説明】
【００２５】
【図１】本発明の一実施形態にかかる多気筒ガソリンエンジンの全体構成を示す平面図である。
【図２】上記エンジンのエンジン本体の構成を示す断面図である。
【図３】上記エンジンの排気マニホールドの構成を示す側面図である。
【図４】上記排気マニホールドに備わる独立排気通路の構成を特に示す平面図である。
【図５】上記排気マニホールドに備わるバイパス通路の構成を特に示す平面図である。
【図６】図５のVI−VI線に沿った断面図である。
【図７】上記エンジンの制御系を示すブロック図である。
【図８】エンジンの運転中に使用される制御マップを概念的に示す図である。
【図９】第１運転領域で実行される燃料噴射や吸排気弁の開閉動作をクランク角との関係で示す図である。
【図１０】中間運転領域で実行される燃料噴射や吸排気弁の開閉動作をクランク角との関係で示す図である。
【図１１】第２運転領域で実行される燃料噴射や吸排気弁の開閉動作をクランク角との関係で示す図である。
【図１２】エンジン負荷の変化に応じて筒内への充填ガスの成分割合や各種制御パラメータがどのように変化するかを示す図である。
【図１３】上記第２運転領域で行われるＳＩ燃焼の特徴を、従来のＳＩ燃焼と比較して説明するための図である。
【図１４】排気ポートの圧力が排気ガスの流通切替によってどの程度変わるかを説明するための図である。
【発明を実施するための形態】
【００２６】
（１）エンジンの全体構成
図１および図２は、本発明の一実施形態にかかる多気筒ガソリンエンジンの構成を示す図である。当実施形態のエンジンは、特定方向に並ぶ４つの気筒２Ａ〜２Ｄを有する４サイクル４気筒型のエンジン本体１と、エンジン本体１に燃焼用の空気を導入するための吸気マニホールド２０と、エンジン本体１の各気筒２Ａ〜２Ｄで生成される排気ガスを排出するための排気マニホールド３０とを備えている。
【００２７】
上記エンジン本体１は、上記気筒２Ａ〜２Ｄが内部に形成されたシリンダブロック２と、シリンダブロック２の上面に設けられたシリンダヘッド３と、上記気筒２Ａ〜２Ｄに往復摺動可能に挿入されたピストン４とを有している。
【００２８】
上記ピストン４の上方には燃焼室５が形成されており、この燃焼室５には、ガソリンを含有する燃料が、後述するインジェクタ１０からの噴射によって供給される。そして、噴射された燃料が燃焼室５で燃焼し、その燃焼による膨張力で押し下げられたピストン４が上下方向に往復運動するようになっている。
【００２９】
上記ピストン４はコネクティングロッド１６を介してクランク軸１５と連結されており、上記ピストン４の往復運動に応じて上記クランク軸１５が中心軸回りに回転するようになっている。
【００３０】
上記シリンダブロック２には、上記クランク軸１５の回転速度をエンジンの回転速度として検出するエンジン回転速度センサＳＷ１が設けられている。
【００３１】
上記シリンダヘッド３には、燃料（ガソリンを含有する燃料）を燃焼室５に向けて噴射するインジェクタ１０と、インジェクタ１０から噴射された燃料と空気との混合気に対し火花放電による点火を行う点火プラグ１１とが、各気筒２Ａ〜２Ｄにつきそれぞれ１組ずつ設けられている。
【００３２】
上記インジェクタ１０は、燃料の噴射口となる複数の噴孔を先端部に有しており、各気筒２Ａ〜２Ｄの燃焼室５をその吸気側の側方から臨むように設けられている。また、インジェクタ１０から噴射される燃料の噴射圧力は、３０ＭＰａ以上という、ガソリンエンジンとしてはかなり高い値に設定されている。
【００３３】
上記点火プラグ１１は、火花を放電するための電極を先端部に有しており、各気筒２Ａ〜２Ｄの燃焼室５を上方から臨むように設けられている。
【００３４】
ここで、当実施形態のエンジン本体１は、その幾何学的圧縮比（ピストン４が下死点にあるときの燃焼室容積とピストン４が上死点にあるときの燃焼室容積との比）が、１６以上２０以下という、ガソリンエンジンとしてはかなり高い値に設定されている。このように高い幾何学的圧縮比を設定しているのは、理論熱効率の向上や、後述するＣＩ燃焼（圧縮自己着火燃焼）での着火性確保のためである。
【００３５】
また、当実施形態のような４サイクル４気筒のガソリンエンジンでは、各気筒２Ａ〜２Ｄに設けられたピストン４がクランク角で１８０°（１８０°ＣＡ）の位相差をもって上下運動するため、これに対応して、各気筒２Ａ〜２Ｄでの点火のタイミングも、１８０°ＣＡずつ位相をずらしたタイミングに設定される。具体的には、気筒２Ａ，２Ｂ，２Ｃ，２Ｄの気筒番号をそれぞれ１番、２番、３番、４番とすると、１番気筒２Ａ→３番気筒２Ｃ→４番気筒２Ｄ→２番気筒２Ｂの順に点火が行われる。このため、例えば１番気筒２Ａが膨張行程であれば、３番気筒２Ｃ、４番気筒２Ｄ、２番気筒２Ｂは、それぞれ、圧縮行程、吸気行程、排気行程となる。
【００３６】
上記シリンダヘッド３には、上記吸気マニホールド２０から供給される空気を各気筒２Ａ〜２Ｄの燃焼室５に導入するための吸気ポート６と、吸気ポート６を開閉する吸気弁８と、各気筒２Ａ〜２Ｄの燃焼室５で生成された排気ガスを上記排気マニホールド３０に導出するための排気ポート７と、排気ポート７を開閉する排気弁９とが設けられている。なお、図例のエンジンはいわゆるダブルオーバーヘッドカムシャフト式（ＤＯＨＣ）エンジンであり、１つの気筒につき吸気弁８および排気弁９が２つずつ設けられている。
【００３７】
上記吸気弁８および排気弁９は、それぞれ、シリンダヘッド３に配設された一対のカムシャフト等を含む動弁機構１３，１４（図２）により、クランク軸１５の回転に連動して開閉駆動される。
【００３８】
上記吸気弁８用の動弁機構１３には、吸気弁８のリフト量を連続的に（無段階で）変更することが可能な可変機構１３ａ（本発明にかかる吸気量調整手段に相当）が組み込まれている。このような構成の可変機構１３ａは、連続可変バルブリフト機構（ＣＶＶＬ）などとして既に公知であり、具体的な構成例として、吸気弁８駆動用のカムをカムシャフトの回転と連動して往復揺動運動させるリンク機構と、リンク機構の配置（レバー比）を可変的に設定するコントロールアームと、コントロールアームを電気的に駆動することによって上記カムの揺動量（吸気弁８を押し下げる量と期間）を変更するステッピングモータとを備えたものを挙げることができる。
【００３９】
上記排気弁９用の動弁機構１４には、吸気行程中に排気弁９を押し下げる機能を有効または無効にする切替機構１４ａが組み込まれている。すなわち、この切替機構１４ａは、排気弁９を排気行程だけでなく吸気行程でも開弁可能にするとともに、この吸気行程中の排気弁９の開弁動作（いわゆる排気弁９の２度開き）を実行するか停止するかを切り替える機能を有している。
【００４０】
このような構成の切替機構１４ａは既に公知であり、その具体例として、排気弁９駆動用の通常のカム（排気行程中に排気弁９を押し下げるカム）とは別に吸気行程中に排気弁９を押し下げるサブカムと、このサブカムの駆動力が排気弁９に伝達されるのを有効または無効にするいわゆるロストモーション機構とを備えたものを挙げることができる。
【００４１】
上記切替機構１４ａのサブカムによる排気弁９の押し下げが有効にされると、排気弁９が排気行程だけでなく吸気行程中にも開弁させられる（排気弁９のリフト量が吸気行程中に再び増大させられる）ので、高温の排気ガスが排気ポート７から燃焼室５に逆流する内部ＥＧＲが実現され、燃焼室５の高温化が図られるとともに、燃焼室５に導入される空気（新気）の量が低減される。
【００４２】
一方、上記切替機構１４ａのサブカムによる排気弁９の押し下げが無効にされた場合には、排気弁９が排気行程のみで開弁するようになるので、上記内部ＥＧＲが停止される。
【００４３】
なお、当明細書において、「○○弁が××行程で開弁」などというときは、○○弁の開弁期間（開き始めてから閉じるまでの期間）が主に××行程と重複するように設定されるということであり、必ずしも開弁期間の全てが××行程中にあることを意味しない。したがって、例えば、排気弁９の２回目の開弁（上記切替機構１４ａのサブカムによる開弁）が禁止された状態を指して、「排気弁９が排気行程のみで開弁される」（または排気弁９が排気行程のみで開く）などと表現したとしても、排気弁９の開弁期間の全てが排気行程に含まれるとは限らず、排気弁９の開弁期間の一部が吸気行程にかかることもあり得る。
【００４４】
図１に示すように、上記吸気マニホールド２０は、単一の吸気管２３の上流端部に接続された所定容積のサージタンク２２と、サージタンク２２と各気筒２Ａ〜２Ｄの吸気ポート６とを連結する複数の（４本の）独立吸気通路２１とを有している。
【００４５】
上記吸気管２３の途中部には、開閉可能なスロットル弁２５と、エンジン本体１に吸入される空気（新気）の流量を検出するためのエアフローセンサＳＷ２とが設けられている。
【００４６】
図３〜図５は、上記排気マニホールド３０の構造を詳細に示すための図である。これら図３〜図５、および先の図１に示すように、排気マニホールド３０は、各気筒２Ａ〜２Ｄの排気ポート７に上流端部が接続される複数の独立排気通路３１，３２，３３と、各独立排気通路３１，３２，３３の下流端部（エンジン本体１から遠ざかる側の端部）が独立状態を維持したまま互いに近接するように束ねられた集約部３４と、集約部３４の下流側に設けられ、上記独立排気通路３１，３２，３３の全てと連通する共通の空間が内部に形成された負圧発生装置３５と、負圧発生装置３５の下流側に接続された単一の排気管４０とを有している。排気管４０の下流側には、三元触媒等の触媒が内蔵された触媒コンバータ４８が設けられており、さらにその下流側には、排気管４９や、図外のサイレンサー等が設けられる。なお、図示の都合上、図５では、上記各独立排気通路３１，３２，３３等を想像線で示しており、図４では、後述するバイパス通路４１，４２，４３およびバイパス下流部４４を省略している。
【００４７】
図１および図４に示すように、当実施形態では、４つの気筒２Ａ，２Ｂ，２Ｃ，２Ｄに対し３つの独立排気通路３１，３２，３３が用意されている。これは、中央側の独立排気通路３２が、２番気筒２Ｂおよび３番気筒２Ｃに対し共通に使用可能なようにＹ字状に分岐した形状とされているからである。すなわち、独立排気通路３２は、２番気筒２Ｂおよび３番気筒２Ｃの各排気ポート７から延びて下流側で合流する２つの分岐通路部３２ａ，３２ｂと、各分岐通路部３２ａ，３２ｂが合流した部分からさらに下流側に延びる単一の共通通路部３２ｃとを有している。一方、１番気筒２Ａおよび４番気筒２Ｄの各排気ポート７に接続される独立排気通路３１，３３については、分岐のない単管状に形成されている。なお、以下では、単管状の独立排気通路３１，３３を、それぞれ「第１独立排気通路３１」および「第３独立排気通路３３」といい、二股状に分岐した独立排気通路３２を「第２独立排気通路３２」ということがある。
【００４８】
上述したように、当実施形態のような４サイクル４気筒エンジンでは、１番気筒２Ａ→３番気筒２Ｃ→４番気筒２Ｄ→２番気筒２Ｂの順に点火が行われるので、二股状に形成された上記第２独立排気通路３２の上流端部が接続される２番気筒２Ｂおよび３番気筒２Ｃは、排気順序（排気行程が実施される順序）が連続しない関係にある。このため、当実施形態のように２番気筒２Ｂおよび３番気筒２Ｃに共通の独立排気通路３２を接続した場合でも、これら両気筒２Ｂ，２Ｃからの排気ガスが同時に上記独立排気通路３２に流れることはない。
【００４９】
単管状に形成された上記第１、第３独立排気通路３１，３３は、その各下流端部の位置が上記第２独立排気通路３２の下流端部と一致するように、気筒列方向の中央側を指向して延びている。すなわち、特に図４に示すように、第１独立排気通路３１の下流端部と、第２独立排気通路３２の共通通路部３２ｃの下流端部と、第３独立排気通路３３の下流端部とが、それぞれ、エンジン本体１の排気側の壁面中央（上面視で２番気筒２Ｂと３番気筒２Ｃの間に対応する位置）から下流側に離れた位置において１箇所に束ねられている。そして、束ねられた上記３つの独立排気通路３１，３２，３３の各下流端部と、これらを束ねた状態に保持する保持部材等により、上記集約部３４が形成されている。
【００５０】
図６に示すように、上記各独立排気通路３１，３２，３３の各下流端部、つまり、第１独立排気通路３１の下流端部と、第２独立排気通路３２の共通通路部３２ｃの下流端部と、第３独立排気通路３３の下流端部とは、それぞれ、円を３等分したような扇型の断面を有しており、このような断面を有する各下流端部が３つ集まることにより、全体としてほぼ円形の集約部３４が形成されている。
【００５１】
上記集約部３４において近接配置された各独立排気通路３１，３２，３３の下流端部は、下流側に至るほど通路断面積が小さくなるノズル状に形成されている（例えば図３、図４参照）。このため、上記各独立排気通路３１，３２，３３の下流端部を通過した排気ガスは、そこで加速した後に（流速を高めた後に）、上記負圧発生装置３５へと噴出される。
【００５２】
また、上記各独立排気通路３１，３２，３３の下流端部は、集約部３４において、比較的平行に近い角度で束ねられている。具体的に、各独立排気通路３１，３２，３３の下流端部は、それぞれの軸心どうしがなす角度が例えば１０度前後の浅い角度となるように配置されている。
【００５３】
図３および図４に示すように、上記負圧発生装置３５は、下流側ほど通路断面積が小さくなるように形成されたノズル部３６と、ほぼ一様の通路断面積を有するように形成されたストレート部３７と、下流側ほど通路断面積が大きくなるように形成されたディフューザ部３８とを、上流側から順に有している。このため、上記各独立排気通路３１，３２，３３のいずれかの下流端部から噴出された排気ガスは、まずノズル部３６へと流入し、そこでさらに加速する（このとき排気ガスの圧力は低下する）。また、上記ノズル部３６で加速された排気ガスは、ストレート部３７およびディフューザ部３８を通過するにつれて減速され、これに伴って排気ガスの圧力が回復させられる。
【００５４】
上記のように各独立排気通路３１，３２，３３のいずれかの下流端部から負圧発生装置３５のノズル部３６に向けて高速で排気ガスが噴出されると、その噴出ガスの周囲に、相対的に圧力の低い負圧部が生成される。したがって、ある気筒の独立排気通路（３１，３２，３３のいずれか）から負圧発生装置３５に排気ガスが噴出されたときには、他の気筒の独立排気通路等に負圧が作用して、そこから排気ガスが下流側へと吸い出されることになる。これは、エゼクタ効果として知られている。
【００５５】
なお、エゼクタ効果は、上記ノズル部３６の下流端部の面積（ストレート部３７の面積に同じ）の等価円直径をＤ、上記独立排気通路３１，３２，３３の各下流端部の等価円直径をａとしたときに、ａ／Ｄ≧０．５であれば充分なエゼクタ効果が得られることが分かっている。このため、当実施形態でも、ａ／Ｄは０．５以上（例えば０．６５）に設定される。ここで、等価円直径とは、ある形状をもった断面を面積が同じ真円に置き換えたときの直径のことである。
【００５６】
図１、図３、および図５に示すように、当実施形態の排気マニホールド３０は、上記独立排気通路３１，３２，３３や負圧発生装置３５等に加えて、各独立排気通路３１，３２，３３の途中部から分岐して延びかつ下流側で合流する３つのバイパス通路４１，４２，４３と、各バイパス通路４１，４２，４３が合流した部分から下流側に延びるバイパス下流部４４とをさらに有している。バイパス下流部４４は、その下流端部が、上記負圧発生装置３５より下流側の排気通路である排気管４０に接続されている。すなわち、バイパス通路４１，４２，４３は、バイパス下流部４４を介して、上記各独立排気通路３１，３２，３３の途中部（負圧発生装置３５よりも上流側の部分）と排気管４０とを連結している。なお、上記バイパス通路４１，４２，４３が合流する角度は、比較的広い角度に設定されており、例えば、バイパス通路４１と４２の各軸心どうしの交差角度、およびバイパス通路４２と４３の各軸心どうしの交差角度が、それぞれ３０度以上に設定されている。
【００５７】
上記各バイパス通路４１，４２，４３およびバイパス下流部４４は、その上流端から下流端に亘ってほぼ一定の断面積を有するように形成されており、その断面積は、上記各独立排気通路３１，３２，３３の下流側部分の各断面積よりも大きく設定されている。当実施形態において、上記バイパス通路４１，４２，４３およびバイパス下流部４４の各断面積は、上記独立排気通路３１，３２，３３の下流端部が集まった集約部３４の円形の断面積（各通路３１，３２，３３の下流端部の合計の面積）とほぼ同一に設定されている。
【００５８】
上記各バイパス通路４１，４２，４３の内部には、それぞれ、開閉可能な流通切替弁４５が設けられている。各流通切替弁４５は、共通のロッド４６を中心に回動するように設けられ、ロッド４６の一端はアクチュエータ４７に連結されている。そして、アクチュエータ４７の作動によってロッド４６が回転すると、これに伴い上記各流通切替弁４５が同時に駆動されてバイパス通路４１，４２，４３が開閉されるようになっている。
【００５９】
上記のように動作する流通切替弁４５は、各気筒２Ａ〜２Ｄから排出された排気ガスを負圧発生装置３５に通すか否かを切り替えるために使用される。例えば、流通切替弁４５が全閉にされると、各気筒２Ａ〜２Ｄから排出された排気ガスは、全て独立排気通路３１，３２，３３を通って負圧発生装置３５に流入する。これにより、負圧発生装置３５の内部に強い負圧（充分に圧力が低下した負圧）が発生し、充分な排気ガスの吸い出し作用（エゼクタ効果）が得られる。一方、流通切替弁４５が全開にされた場合は、各気筒２Ａ〜２Ｄから排出された排気ガスの大部分が、バイパス通路４１，４２，４３を通って下流側に流れ、負圧発生装置３５を通過することなくその下流側の排気管４０に流入する。これにより、負圧発生装置３５での負圧が生成されなくなるので、エゼクタ効果が大幅に低下する。なお、流通切替弁４５を全開にしたときに排気ガスの大部分が（独立排気通路３１，３２，３３ではなく）バイパス通路４１，４２，４３を通過するのは、独立排気通路３１，３２，３３の各下流端部の断面積に比べてバイパス通路４１，４２，４３の断面積が大きく、流通抵抗が少ないからである。
【００６０】
図１に示すように、上記排気マニホールド３０の排気管４０と上記吸気マニホールド２０のサージタンク２２とは、ＥＧＲ通路５０を介して互いに連結されている。ＥＧＲ通路５０の途中部には、開閉可能なＥＧＲ弁５１と、エンジンの冷却水等を利用した熱交換器からなるＥＧＲクーラ５２とが設けられている。
【００６１】
上記ＥＧＲ通路５０は、排気マニホールド３０を通過する排気ガスの一部を吸気マニホールド２０に還流させる操作を行うために用いられる。すなわち、上記ＥＧＲ弁５１が開弁されると、排気管４０を流れる排気ガスの一部がＥＧＲ通路５０を通過してサージタンク２２へと戻される。このとき、ＥＧＲクーラ５２によって排気ガスが冷却されるので、サージタンク２２に流入するときの排気ガスの温度は、排気マニホールド３０を通過する排気ガスの温度よりも大幅に低いものとなる。そして、上記サージタンク２２に戻された低温の排気ガスは、独立吸気通路２１を通って再び各気筒２Ａ〜２Ｄに導入される。なお、以下では、上記ＥＧＲ通路５０を通じた排気ガスの還流操作のことを、上述した排気弁９の２度開きによる排気ガスの逆流操作（内部ＥＧＲ）と区別して、「外部ＥＧＲ」（External Exhaust Gas Recirculation）と称する。
【００６２】
一方、上記ＥＧＲ弁５１が全閉にされた場合には、排気管４０からＥＧＲ通路５０に排気ガスが流れなくなり、外部ＥＧＲが禁止される。
【００６３】
（２）制御系
次に、図７を用いて、エンジンの制御系について説明する。当実施形態のエンジンは、自動車等の車両に搭載されており、車両に備わるＥＣＵ（エンジン制御ユニット）６０によって制御される。ＥＣＵ６０は、周知のとおり、ＣＰＵ、ＲＯＭ、ＲＡＭ等から構成されるマイクロプロセッサであり、本発明にかかる制御手段に相当するものである。
【００６４】
上記ＥＣＵ６０には、各種センサからの情報が入力される。例えば、ＥＣＵ６０は、エンジンに設けられた上記エンジン回転速度センサＳＷ１およびエアフローセンサＳＷ２と電気的に接続されており、これらのセンサからの入力信号（エンジン回転速度および吸気流量の情報）を受け付ける。また、車両には、運転者により操作される図外のアクセルペダルの開度を検出するアクセル開度センサＳＷ３が設けられており、このアクセル開度センサＳＷ３による検出信号も上記ＥＣＵ６０に入力される。
【００６５】
上記ＥＣＵ６０は、上記各センサ（ＳＷ１〜ＳＷ３等）からの入力信号に基づいて種々の演算等を実行しつつ、エンジンの各部を制御する。すなわち、ＥＣＵ６０は、上記インジェクタ１０、点火プラグ１１、可変機構１３ａ、切替機構１４ａ、流通切替弁４５（正確には弁駆動用のアクチュエータ４７）、スロットル弁２５、およびＥＧＲ弁５１等と電気的に接続されており、上記演算の結果等に基づいて、これらの機器にそれぞれ駆動用の制御信号を出力する。
【００６６】
図８は、エンジンの運転中に上記ＥＣＵ６０によって参照される制御マップを概念的に示す図である。この制御マップでは、エンジンの運転領域が第１運転領域Ａ１、第２運転領域Ａ２、中間運転領域Ａ３の３つに分割されており、このうち、第１運転領域Ａ１はエンジンの最低負荷Ｔｍｉｎを含む最も低負荷側の領域に設定され、第２運転領域Ａ２はエンジンの最高負荷Ｔｍａｘを含む最も高負荷側の領域に設定されている。また、中間運転領域Ａ３は、第１運転領域Ａ１と第２運転領域Ａ２との間の負荷域に設定されている。ＥＣＵ６０は、エンジンの運転中、負荷（アクセル開度に基づく要求トルク）および回転速度の各値から、エンジンが図８のマップ中のどの運転領域で運転されているかを逐次判定し、各運転領域に応じた適切な燃焼が行われるように、上記インジェクタ１０、点火プラグ１１、可変機構１３ａ、切替機構１４ａ、流通切替弁４５、スロットル弁２５、およびＥＧＲ弁５１を制御する。
【００６７】
（３）各運転領域での制御
次に、図８に示した各運転領域Ａ１，Ａ２，Ａ３での燃焼制御の内容について説明する。詳しくは後述するように、当実施形態では、最も高負荷側の領域に位置する第２運転領域Ａ２で、点火プラグ１１からの火花放電による強制点火をきっかけに混合気を火炎伝播により燃焼させるＳＩ燃焼が実行され、上記第２運転領域Ａ２よりも低負荷側に位置する第１運転領域Ａ１および中間運転領域Ａ３で、ピストン４の圧縮作用により混合気を自着火させるＣＩ燃焼が実行される。
【００６８】
（ｉ）第１運転領域Ａ１
まず、エンジンの最低負荷Ｔｍｉｎを含む低負荷側の領域に設定された第１運転領域Ａ１でどのような燃焼制御が実行されるかを、図９および図１２を用いて説明する。図９は、上記第１運転領域Ａ１で実行される燃料噴射や吸排気弁の開閉動作をクランク角ＣＡとの関係で示す図である。図１２は、エンジン負荷の変化に応じて筒内への充填ガスの成分割合や各種制御パラメータがどのように変化するかを示す図である。なお、図１１において、「ＥＸ」は排気行程中に開く排気弁９のリフトカーブ、「ＥＸ’」は吸気行程中に開く排気弁９のリフトカーブ、「ＩＮ」は吸気弁８のリフトカーブをそれぞれ表している。また、図１２では、第１運転領域Ａ１と中間運転領域Ａ３との境界に対応する負荷を「Ｔ１」、中間運転領域Ａ３と第２運転領域Ａ２との境界に対応する負荷を「Ｔ２」として表記するとともに、これらＴ１，Ｔ２以外で、ある制御を開始または終了するための閾値となる負荷を「Ｔｘ」、「Ｔｙ」として表記している。Ｔｘは本発明にかかる第１所定負荷に相当し、Ｔｙは本発明にかかる第２所定負荷に相当する。
【００６９】
図９に示すように、第１運転領域Ａ１では、インジェクタ１０からの燃料噴射Ｆ１に基づき燃焼室５に形成される混合気をピストン４の圧縮作用により自着火させるＣＩ燃焼が実行される。具体的に、上記第１運転領域Ａ１では、吸気行程中の所定時期にインジェクタ１０から比較的少量の燃料が噴射される（燃料噴射Ｆ１）。すると、この燃料噴射Ｆ１に基づき、燃料と空気（新気）とが混じった均質でリーンな混合気が燃焼室５内に形成される。この混合気は、圧縮行程においてピストン４の圧縮作用により高温、高圧化し、圧縮上死点（圧縮行程と排気行程の間のＴＤＣ）付近で自着火する。そして、このような自着火に基づき、波形Ｑ１に示すような熱発生を伴うＣＩ燃焼が生じる。
【００７０】
上記のような混合気の自着火によるＣＩ燃焼を促進するため、第１運転領域Ａ１では、図９および図１２に示すように、排気弁９の開閉モードが２度開きモードとされ、排気弁９が排気行程だけでなく吸気行程でも開くように切替機構１４ａが制御される。すなわち、排気弁９を吸気行程でも開くことにより、排気ポート７から筒内に排気ガスを逆流させる内部ＥＧＲを実行し、筒内温度を上昇させる。
【００７１】
また、第１運転領域Ａ１では、図１２に示すように、流通切替弁４５の開度が全開（１００％）に設定される。これにより、各気筒２Ａ〜２Ｄから排出された排気ガスのほとんどがバイパス通路４１，４２，４３を通過し、負圧発生装置３５を迂回してその下流側の排気管４０に流入する。
【００７２】
第１運転領域Ａ１での吸気弁８のリフト量ついては、それを変化させるための可変機構１３ａの駆動に基づいて、次のようなパターンで制御される。すなわち、第１運転領域Ａ１の中でも負荷がＴｘ以下になる領域（極低負荷域）では、吸気弁８のリフト量が最低のリフト量に設定される一方、これよりも高負荷側の領域では、負荷が高いほど吸気弁８のリフト量が増大される。これにより、第１運転領域Ａ１において吸気ポート６から筒内に導入される新気の量は、所定負荷Ｔｘ以下のときに最も少なくされ、所定負荷Ｔｘよりも負荷が高くなるほど増大される。一方、内部ＥＧＲにより筒内に導入される排気ガス（内部ＥＧＲガス）の量は、上記新気量の変化とは逆に、所定負荷Ｔｘ以下のときに最も多くされ、所定負荷Ｔｘよりも負荷が高くなるほど低減される。
【００７３】
第１運転領域Ａ１でのＥＧＲ弁５１の開度については、所定負荷Ｔｘ以下の領域で全閉（０％）に設定される一方、これよりも高負荷側の領域では、負荷が高いほど開度が増大される。すなわち、所定負荷Ｔｘ以下の領域でＥＧＲ弁５１が全閉にされることにより、外部ＥＧＲ、つまり排気マニホールド３０に一旦排出された排気ガスをＥＧＲ通路５０を通じて筒内に還流する操作が禁止される。一方、所定負荷Ｔｘよりも高負荷側の領域では、ＥＧＲ弁５１が徐々に開かれることにより、外部ＥＧＲによって還流される排気ガス（外部ＥＧＲガス）の量が徐々に増大される。
【００７４】
スロットル弁２５の開度（スロットル開度）については、第１運転領域Ａ１を含む全ての運転領域（領域Ａ１、Ａ３、Ａ２）において、一律に全開（１００％）に設定される。しかしながら、第１運転領域Ａ１においては、上述した吸気弁８のリフト量の制御や内部ＥＧＲおよび外部ＥＧＲが実行されることにより、新気の量がかなり少なくされ、筒内ガスの大半がＥＧＲガス（内部ＥＧＲガスおよび外部ＥＧＲガス）によって占められる状態がつくり出される。このように、新気以外に大量のＥＧＲガスが筒内に導入されることから、第１運転領域Ａ１では、筒内に充填される全ガス（新気およびＥＧＲガス）の質量を燃料の質量で割った値であるガス空燃比Ｇ／Ｆが、３０以上に設定される。
【００７５】
（ii）中間運転領域Ａ３
上記第１運転領域Ａ１よりも負荷が高い中間運転領域Ａ３では、図１０に示すように、インジェクタ１０からの燃料噴射Ｆ３に基づき燃焼室５に形成される混合気をピストン４の圧縮作用により自着火させるＣＩ燃焼が実行される（波形Ｑ３）。ただし、中間運転領域Ａ３では、相対的に負荷の低い第１運転領域Ａ１のときよりも遅いタイミング、例えば圧縮行程中の所定時期に上記燃料噴射Ｆ３が実行される。このように、第１運転領域Ａ１よりも負荷が高い（よって燃料の噴射量が多い）中間運転領域Ａ３において、燃料噴射のタイミングを遅らせるのは、仮に第１運転領域Ａ１と同様のタイミングで燃料を噴射したとすると、混合気が自着火するタイミングが早くなり過ぎて、異常燃焼や過大な燃焼騒音が生じるおそれがあるためである。
【００７６】
上記中間運転領域Ａ３での排気弁９の開閉モードは、図１０および図１２に示すように、上記第１運転領域Ａ１と同じく２度開きモードとされ、排気弁９が排気行程だけでなく吸気行程でも開かれる。これにより、排気ポート７から筒内に排気ガスを逆流させる内部ＥＧＲが実現される。ただし、中間運転領域Ａ３での内部ＥＧＲガスの量（図１２）は、流通切替弁４５の開度制御により、負荷が高くなるほど低減される。
【００７７】
具体的に、上記中間運転領域Ａ３において、流通切替弁４５の開度は、負荷が高くなるほど低減される。これにより、バイパス通路４１，４２，４３に流れる排気ガスの量が減り、独立排気通路３１，３２，３３を通じて負圧発生装置３５に流入する排気ガスの量が増える。このことは、負圧発生装置３５内で生成される負圧を強くし、内部ＥＧＲガスの量を減少させることにつながる。つまり、負圧発生装置３５内の負圧が強くなる（圧力が下がる）と、この負圧が独立排気通路３１，３２，３３を通じて排気ポート７まで及び、排気ガスが下流側に吸引される結果、排気ポート７から筒内へ排気ガスが逆流する現象が起き難くなる。上記中間運転領域Ａ３では、負荷が高くなるほど流通切替弁４５の開度が低減されるので、上記負圧発生装置３５で発生する負圧による排気ガスの吸引作用（エゼクタ効果）が徐々に強められ、その結果として、図１２に示すように、内部ＥＧＲガスの量が徐々に低減される。
【００７８】
上記中間運転領域Ａ３では、ＥＧＲ弁５１の開度が所定の高開度に設定され、ＥＧＲ通路５０を通じて比較的多くの排気ガスが外部ＥＧＲガスとして筒内に還流される。また、吸気弁８のリフト量が最大となるように可変機構１３ａが制御される。
【００７９】
（iii）第２運転領域Ａ２
上記中間運転領域Ａ３よりも負荷が高くかつエンジンの最高負荷Ｔｍａｘを含む領域に設定された第２運転領域Ａ２では、図１１に示すような制御が実行される。すなわち、圧縮行程の後期のような比較的遅いタイミングでインジェクタ１０から燃料を噴射させ（Ｆ２）、この燃料噴射Ｆ２の後に点火プラグ１１に火花点火ＳＰを行わせることにより、圧縮上死点を少し過ぎたタイミング（膨張行程の初期）から火炎伝播により混合気を燃焼させる制御が実行される。
【００８０】
上記第２運転領域Ａ２で燃料噴射Ｆ２を開始するタイミングは、圧縮行程の後期以降の適宜のタイミングに設定される。また、同領域Ａ２で火花点火ＳＰを実行するタイミングは、上記燃料噴射Ｆ２から所定のクランク角を過ぎた適宜のタイミングに設定される。具体例として、燃料噴射Ｆ２のタイミングはＢＴＤＣ（上死点前）２０〜０°ＣＡのいずれかに設定することができ、火花点火ＳＰのタイミングはＡＴＤＣ（上死点後）０〜２０°ＣＡのいずれかに設定することができる。もちろん、エンジン回転速度が特に高いかまたは低い場合は、ここで例示したクランク角範囲を外れて上記燃料噴射Ｆ２および火花点火ＳＰが行われることもあり得る。ただし、これら噴射および点火の各タイミングは、少なくとも、圧縮行程後期から膨張行程初期にかけた範囲（ＢＴＤＣ６０°ＣＡ〜ＡＴＤＣ６０°ＣＡ）のいずれかには含まれるということができる。
【００８１】
図１２に示すように、上記第２運転領域Ａ２では、少なくとも最高負荷Ｔｍａｘを除き、ＥＧＲ通路５０を通じて排気ガスを筒内に還流させる外部ＥＧＲが実行される。この外部ＥＧＲによって還流される排気ガス（外部ＥＧＲガス）の量は、第２運転領域Ａ２の中でも負荷が高いほど少なく設定される。このため、第２運転領域Ａ２でのＥＧＲ弁５１の開度は、基本的に、負荷が高いほど低減され、最高負荷では全閉（０％）に設定される。
【００８２】
また、第２運転領域Ａ２では、基本的に内部ＥＧＲは実行されない。このため、排気弁９の開閉モードは基本的に通常モードとされ、排気弁９が排気行程のみで開弁するように切替機構１４ａが制御される。また、吸気弁８のリフト量が最大となるように可変機構１３ａが制御され、排気行程の終期から吸気行程の初期にかけて吸気弁８と排気弁９とがともに開く期間であるオーバーラップ期間ＯＬ（図１１）が所定量確保される。
【００８３】
ただし、当実施形態では、図１２に示すように、第２運転領域Ａ２における低負荷側の一部（負荷Ｔ２〜Ｔｙの区間）に限り、少量の内部ＥＧＲガスが導入されるように排気弁９の開閉モードが２度開きモードとされる。このとき、流通切替弁４５の開度は、上記中間運転領域Ａ３と第２運転領域Ａ２との境界（負荷Ｔ２）での値よりもさらに小さくされ、負荷Ｔ２から少し高負荷側に移行した負荷Ｔｙで全閉（０％）に設定される。これにより、各気筒２Ａ〜２Ｄから排出される排気ガスの全てが負圧発生装置３５へと流入させられるので、この負圧発生装置３５の内部で強い負圧が生成される状態がつくり出され、内部ＥＧＲガスの量が実質的にゼロまで低減される。そして、このような状態（内部ＥＧＲを停止した状態）が、エンジンの最高負荷Ｔｍａｘまで継続される。
【００８４】
上記のような外部ＥＧＲおよび内部ＥＧＲの制御が行われる結果、第２運転領域Ａ２での新気の量は、負荷が高いほど増やされて、最高負荷Ｔｍａｘでの運転時には、筒内に導入される実質的に全てのガスが新気とされる。
【００８５】
また、上記燃料噴射Ｆ２による噴射量は、筒内の空気過剰率λが１となるような量、つまり、筒内の新気の質量を燃料の質量で割った値が１４．７（理論空燃比）になるような量に設定される。ただし、第２運転領域Ａ２では、上述したように、エンジンの最高負荷を除いて外部ＥＧＲガスが導入される（低負荷側の一部ではさらに内部ＥＧＲガスが導入される）ので、筒内の全ガス質量を燃料の質量で割った値であるガス空燃比Ｇ／Ｆは、１４．７以上になる（図１２）。
【００８６】
図１１に示すように、上記燃料噴射Ｆ２に基づき形成される理論空燃比（λ＝１）の混合気は、上記燃料噴射Ｆ２の完了から比較的短い期間を空けたタイミングで実行される火花点火ＳＰをきっかけに、通常よりも急速な火炎伝播によって燃焼し始め、波形Ｑ２に示すように、膨張行程のそう遅くない時期までに燃焼を完了させる。以下では、第２運転領域Ａ２で行われるこのようなＳＩ燃焼のことを、「急速リタードＳＩ燃焼」と称する。第２運転領域Ａ２で急速リタードＳＩ燃焼が実現されるしくみは、次のとおりである。
【００８７】
図１３は、急速リタードＳＩ燃焼（実線）の場合と、吸気行程中に燃料噴射を実行する従来のＳＩ燃焼（破線）の場合とで、熱発生率（上段）および未燃混合気の反応進行度（下段）がそれぞれどのように異なるかを概念的に示す説明図である。なお、この比較の前提として、エンジンの幾何学的圧縮比はともに１８とする。また、エンジンの負荷および回転速度は同一であり、したがって燃料の噴射量も同一であるものとする。ただし、燃料噴射の圧力は、急速リタードＳＩ燃焼の方が、従来のＳＩ燃焼よりも大幅に高いものとする（例えば前者の噴射圧力が４０ＭＰａで後者の噴射圧力が７ＭＰａ）。
【００８８】
まず、従来のＳＩ燃焼では、吸気行程中に燃料噴射Ｆ’が実行される。燃焼室５では、その燃料噴射Ｆ’の後、ピストン４が圧縮上死点に至るまでの間に、充分に均質化した混合気が形成される。そして、この例では、圧縮上死点を過ぎた遅めのタイミングで火花点火が実行され、それをきっかけに（所定の着火遅れ時間の後に）、時点θｉｇ’で火炎伝播による燃焼が開始される。その後は、図１３の上段に破線の波形で示すように、燃焼開始時期θｉｇ’から所定期間が経過した時点で熱発生率のピークを迎え、そこからさらに時間が経過した時点θｅｎｄ’で燃焼が完了する。
【００８９】
ここで、燃料噴射の開始から燃焼の終了までの間は、未燃混合気が存在し得る期間（未燃混合気の存在期間）ということができる。図１３の下段に破線で示すように、未燃混合気の反応は、上記未燃混合気の存在期間中に徐々に進行する。従来のＳＩ燃焼は、未燃混合気の存在期間が非常に長く、その間、未燃混合気の反応が進行し続けることから、火花点火後の火炎伝播の途中で未燃混合気が自着火する異常燃焼、つまりノッキングが起きてしまうという問題があった。特に、同一のクランク角変化量に対応する実時間が相対的に長くなるエンジンの低回転側では、ピストン４が混合気を圧縮している間に未燃混合気の反応がどんどん進行するため、火花点火に基づく燃焼開始時期θｉｇ’よりも早いタイミングで未燃混合気の反応度が着火しきい値を超えてしまい（つまり火花点火とは関係なく未燃混合気が自着火してしまい）、プリイグニッション（過早着火）を招く結果となってしまう。
【００９０】
これに対し、急速リタードＳＩ燃焼では、上述したように、３０ＭＰａ以上という非常に高い噴射圧力で、しかも圧縮行程の後期以降（例えばＢＴＤＣ２０〜０°ＣＡ）という大幅に遅角した期間に燃料が噴射される（燃料噴射Ｆ２）。このような高圧でかつ遅いタイミングの噴射（以下、高圧リタード噴射という）を行うことは、未燃混合気の存在期間を短縮し、異常燃焼を回避することにつながる。
【００９１】
すなわち、未燃混合気の存在期間は、図１３に示すように、インジェクタ１０からの燃料噴射に要する期間（（Ａ）噴射期間）と、噴射終了後、点火プラグ１１の周りに可燃混合気が形成されるまでの期間（（Ｂ）混合気形成期間）と、点火によって開始された燃焼が終了するまでの期間（（Ｃ）燃焼期間）とを足し合わせた時間、つまり、（Ａ）＋（Ｂ）＋（Ｃ）である。高圧リタード噴射は、単位時間あたりの噴射量を増大させ、燃料の気化に要する時間を短縮し、さらには燃料噴射に基づく乱流エネルギーを増大させるので、（Ａ）噴射期間、（Ｂ）混合気形成期間、および（Ｃ）燃焼期間をそれぞれ短縮する。これにより、未燃混合気の存在期間が大幅に短縮されるので、圧縮比が高くしかも負荷の高い条件下であっても、未燃混合気の反応進行度が燃焼終了時期までに着火しきい値を越えることがないよう反応の進行が抑制され、異常燃焼が回避される。しかも、急速リタードＳＩ燃焼では、燃焼期間（Ｃ）が大幅に短縮されることから、たとえ火花点火に基づく燃焼開始時期θｉｇが、図１３の例のように圧縮上死点からある程度遅れたタイミング（膨張行程初期）に設定されていたとしても、その後に生じる燃焼が緩慢化することがなく、熱効率および出力トルクが良好に維持される。
【００９２】
（４）作用等
以上説明したとおり、当実施形態では、ガソリンを含有する燃料により駆動される多気筒ガソリンエンジンにおいて、次のような特徴的な構成を採用した。
【００９３】
上記エンジンの排気マニホールド３０は、１つの気筒（２Ａまたは２Ｄ）もしくは排気順序が連続しない複数の気筒（２Ｂおよび２Ｃ）の各排気ポート７に上流端部が接続された複数の独立排気通路３１，３２，３３と、各独立排気通路３１，３２，３３の下流端部どうしが独立状態を維持したまま互いに近接するように束ねられた集約部３４と、集約部３４の下流側に設けられ、各独立排気通路３１，３２，３３の下流端部から排気ガスが噴出されるのに伴い負圧が発生するように先細り状に形成されたノズル部３６を含む負圧発生装置３５と、上記各独立排気通路３１，３２，３３の途中部から分岐して延びるとともに下流側で合流し、かつ上記負圧発生装置３５より下流側の排気通路（排気管４０）とバイパス下流部４４を介して連通するバイパス通路４１，４２，４３と、上記各バイパス通路４１，４２，４３に設けられた開閉可能な流通切替弁４５とを有する。
【００９４】
上記エンジンの負荷が相対的に低い第１運転領域Ａ１では、混合気の自着火による燃焼であるＣＩ燃焼が行われる。また、この第１運転領域Ａ１では、排気弁９が排気行程だけでなく吸気行程でも開くように切替機構１４ａが制御されるとともに（２度開きモード）、各気筒２Ａ〜２Ｄからの排気ガスがバイパス通路４１，４２，４３を通って負圧発生装置３５を迂回するように上記流通切替弁４５が開弁される。
【００９５】
さらに、第１運転領域Ａ１のうち所定負荷Ｔｘ（第１所定負荷）よりも高負荷側では、吸気弁８用の可変機構１３ａ（吸気量調整手段）の駆動により吸気弁８のリフト量が負荷が高いほど増大されることにより、新気の量が徐々に増大される。
【００９６】
一方、上記第１運転領域Ａ１よりも負荷の高い第２運転領域Ａ２では、火花点火による強制燃焼であるＳＩ燃焼が行われる。このとき、流通切替弁４５の開度は、上記第１運転領域Ａ１のときよりも低減され、特に第２運転領域Ａ２における所定負荷Ｔｙ（第２所定負荷）よりも高負荷側では、各気筒２Ａ〜２Ｄからの排気ガスが全て負圧発生装置３５を通るように、流通切替弁４５の開度が全閉（０％）に設定されるとともに、排気弁９が排気行程のみで開くように切替機構１４ａが制御される（通常モード）。
【００９７】
以上のような構成を具備する当実施形態の多気筒ガソリンエンジンによれば、低負荷域でＣＩ燃焼を行う際に着火性を確保しつつ適当量の新気を確保し、さらに高負荷域でＳＩ燃焼を行う際には異常燃焼を防止することができる。
【００９８】
すなわち、上記実施形態では、相対的に負荷の低い第１運転領域Ａ１において、排気弁９が２度開きモード（排気行程に加えて吸気行程でも開弁させるモード）で駆動されることにより、各気筒２Ａ〜２Ｄの排気ポート７から筒内（燃焼室５）に高温の排気ガスが逆流する内部ＥＧＲが実現され、筒内温度の上昇が図られる。これにより、負荷が低く混合気の着火性が厳しい第１運転領域Ａ１において、混合気の自着火を促進し、適正なＣＩ燃焼を引き起こすことができる。しかも、上記第１運転領域Ａ１では、各気筒２Ａ〜２Ｄからの排気ガスがバイパス通路４１，４２，４３を通る（負圧発生装置３５を迂回する）ように排気ガスの流通が切り替えられるため、負圧発生装置３５で生じる負圧に伴うエゼクタ効果（排気ガスの下流側への吸引効果）が無効化される結果、ある気筒からブローダウンガス（排気弁９の開弁直後に勢いよく排出される排気ガス）が排出されたときには、このブローダウンガスによる大きな正圧が、排気順序が１つ前の先行気筒の排気ポート７に作用して排気ガスの排出を阻害するようになる（排気干渉）。上記実施形態では、あえてこのような排気干渉をつくり出した上で、排気弁９を２度開きモードで駆動することにより、排気ポート７から筒内に多量の排気ガスを逆流させて、内部ＥＧＲガスの量を増大させることができる。このことは、筒内温度の上昇に有利となり、混合気の自着火促進につながるので、低負荷域でのＣＩ燃焼をより確実に引き起こすことができる。
【００９９】
上記排気干渉等について図１４を用いてより具体的に説明する。図１４はある特定の気筒の排気ポート７の圧力が負圧発生装置３５の迂回の有無によってどの程度変わるかを説明するための図であり、実線の波形Ｐ１が負圧発生装置３５を迂回した場合（流通切替弁４５を全開にした場合）の圧力を、一点鎖線の波形Ｐ２が負圧発生装置３５を迂回しなかった場合（流通切替弁４５を全閉にした場合）の圧力を示している。本図に示すように、排気ガスが負圧発生装置３５を迂回するように流通切替弁４５を全開にした場合には（波形Ｐ１）、上記特定の気筒の排気行程が終了する付近（ＴＤＣの近傍）で、排気順序が１つ後の後続気筒からのブローダウンガスによる正圧が排気ポート７に到達することにより、排気ポート７の圧力が再び増大している。例えば、図１４のグラフが１番気筒２Ａの排気ポート７の圧力を示しているとすると、この１番気筒２Ａの排気行程の終了間際に、１番気筒２Ａよりも排気順序が１つ後の３番気筒２Ｃからのブローダウンガスによる正圧が、独立排気通路３２→バイパス通路４２→バイパス通路４１→独立排気通路３１の順に通って音速で第１気筒２Ａの排気ポート７に到達することにより、排気ポート７の圧力が再び増大する（排気干渉）。
【０１００】
これに対し、波形Ｐ２のように、排気ガスが負圧発生装置３５に流入するように流通切替弁４５を全閉にした場合には、上記特定の気筒の排気行程が終了する付近（ＴＤＣの近傍）で、排気順序が１つ後の後続気筒からのブローダウンガスに基づき負圧発生装置３５で発生した負圧が排気ポート７に到達することにより、排気ポート７の圧力が低下して負圧に転じている。例えば、１番気筒２Ａよりも排気順序が１つ後の３番気筒２Ｃからのブローダウンガスが独立排気通路３２を通じて負圧発生装置３５に流入したとすると、これによって同装置３５内で強い負圧が発生するので、この負圧が独立排気通路３１を遡って１番気筒２Ａの排気ポート７に到達することにより、同気筒２Ａの排気ポート７の圧力が、排気行程の終了時付近から負圧に転じる。
【０１０１】
このように、排気ガスを負圧発生装置３５に流入させるか迂回させるかによって、排気行程の終了時付近の排気ポート７の圧力を大きく（図１４の高さＨの分だけ）変化させられるということが分かる。このことを利用して、上記実施形態では、比較的負荷の低い第１運転領域Ａ１において、排気ガスが負圧発生装置３５を迂回するように流通切替弁４５を開弁し、それに伴い排気干渉をあえて起こす（つまり排気ポート７の圧力を故意に高くする）ことにより、大量の内部ＥＧＲガスが確保されるようにした。
【０１０２】
なお、単に内部ＥＧＲガスの量を増やすだけであれば、吸気行程中に開弁する排気弁９のリフト量を極端に大きくすることによっても実現は可能である。しかしながら、排気弁９のリフト量を大きくし過ぎると、切替機構１４ａが大型化し、機械抵抗が増大するなどの問題がある。これに対し、排気干渉を利用して内部ＥＧＲガスの量を増やすようにした上記の構成は、このような問題をもクリアすることができる。
【０１０３】
加えて、上記実施形態では、第１運転領域Ａ１において負荷が所定負荷Ｔｘよりも高くなった場合に、負荷が高いほど新気の量が増えるように吸気弁８のリフト量が増大されるので、相対的に負荷が高くなって必要な新気の量が増えたときに、これに合わせて新気の量を徐々に増大させつつ内部ＥＧＲガスの量を減らすことができる。これにより、内部ＥＧＲガスの量と新気量との割合を負荷に応じて適正に調整することができ、ポンピングロスの低減を図りながら適正なエンジントルクを確保することができる。
【０１０４】
一方、上記第１運転領域Ａ１よりも負荷の高い第２運転領域Ａ２では、流通切替弁４５の開度が第１運転領域Ａ１のときよりも低減されるので、バイパス通路４１，４２，４３を通る排気ガスの量が減少するとともに負圧発生装置３５に流入する排気ガスの量が増えることになる。これにより、負圧発生装置３５で発生する負圧に基づくエゼクタ効果により排気ガスが下流側に吸い出され、筒内の掃気（筒内に残留する高温の排気ガスを排気ポート７に排出すること）が図られる。そして、このように筒内の掃気性が確保された状態で、火花点火によるＳＩ燃焼が実行されるため、例えば火花点火のタイミングを極端に遅くするなどの措置を採らなくても、異常燃焼を伴わない適正な燃焼を実現することができ、異常燃焼を防止しつつ高い熱効率を得ることができる。
【０１０５】
特に、上記第２運転領域Ａ２における所定負荷Ｔｙよりも高負荷側では、排気弁９の開閉モードが通常モードに切り換えられて内部ＥＧＲが禁止されるとともに、流通切替弁４５が全閉にされて実質的に全ての排気ガスが負圧発生装置３５に流入させられるため、負圧発生装置３５で強い負圧が発生し、この負圧が各気筒２Ａ〜２Ｄの排気ポート７に到達して排気ガスの下流側への吸い出し（エゼクタ効果）が促進されることにより、筒内に高温の排気ガスが残留することが効果的に防止され、より一層の掃気が図られる。
【０１０６】
しかも、上記実施形態では、第２運転領域Ａ２において、排気行程の終期から吸気行程の初期にかけて吸気弁８と排気弁９とがともに開く期間であるオーバーラップ期間ＯＬ（図１１）が確保されるようになっているので、上記のように負圧発生装置３５で生じた負圧が上記オーバーラップ期間ＯＬ中に排気ポート７に到達することで、吸気ポート６から排気ポート７へと吹き抜ける流れが生じ、掃気がより一層促進される。
【０１０７】
また、上記実施形態では、相対的に負荷の高い第２運転領域Ａ２のうち、所定負荷Ｔｙよりも低負荷側の領域に限っては、排気弁９が２度開きモードで駆動される。このような構成によれば、第２運転領域Ａ２に移行したところで急激に内部ＥＧＲガスの量が減少することが避けられ（図１２参照）、燃焼が不安定化するのを効果的に防止することができる。
【０１０８】
また、上記実施形態では、ＥＧＲクーラ５２およびＥＧＲ弁５１が装備されたＥＧＲ通路５０が、排気マニホールド３０と吸気マニホールド２０との間に設けられるとともに、上記第１運転領域Ａ１内の所定負荷Ｔｘよりも負荷が低いときにＥＧＲ弁５１が全閉にされ、所定負荷Ｔｘよりも負荷が高いときに（ただし最高負荷Ｔｍａｘのときを除いて）ＥＧＲ弁５１が開弁される。このような構成によれば、所定負荷Ｔｘよりも負荷が高くなって内部ＥＧＲガスが減少するのに伴い、ＥＧＲクーラ５２で冷却された低温の排気ガス（外部ＥＧＲガス）を筒内に導入することができ、筒内温度が過度に上昇するのを防止しつつ、ポンピングロスを効果的に低減することができる。
【０１０９】
ここで、仮に、ＥＧＲクーラ５２をバイパスする通路をＥＧＲ通路５０に設けた場合には、そのバイパス通路を用いて高温の排気ガスを還流することができるので、排気弁９を２度開きモードで駆動する内部ＥＧＲは必ずしも必要でなくなる。しかしながら、この場合は、ＥＧＲクーラ５２をバイパスする通路を開閉する弁を設ける必要が生じる。この弁は、非常に高い温度の排気ガスに晒されるので、故障が起き易く、信頼性の面で問題がある。これに対し、上記実施形態では、外部ＥＧＲガスは全てＥＧＲクーラ５２を通過するので、ＥＧＲ弁５１の信頼性を充分に高めることができる。
【０１１０】
また、上記実施形態では、第１運転領域Ａ１と第２運転領域Ａ２との間に、ＣＩ燃焼（混合気の自着火による燃焼）が行われる中間運転領域Ａ３が設定され、この中間運転領域Ａ３では、排気弁９の開閉モードが２度開きモードに設定されるとともに、負荷が高いほど流通切替弁４５の開度が低減される。このような構成によれば、低負荷側の第１運転領域Ａ１よりも負荷が高く混合気が比較的自着火し易い中間運転領域Ａ３において、流通切替弁４５の開度制御により負圧発生装置３５に流入する排気ガスの量が調節されることにより、負圧発生装置３５で生じる負圧に基づく排気ガスの吸い出し作用（エゼクタ効果）を、負荷が高くなるほど増強し、それに伴い内部ＥＧＲ量を減少させることができる。これにより、負荷が中間的な値となる上記中間運転領域Ａ３において、着火性に応じた適当量の内部ＥＧＲガスを導入することができ、適正なＣＩ燃焼を行わせることができる。
【０１１１】
また、上記実施形態では、第１運転領域Ａ１でのガス空燃比Ｇ／Ｆ（筒内の全ガス質量を燃料の質量で割った値）が、上記第２運転領域Ａ２および中間運転領域Ａ３でのＧ／Ｆよりも大きい値である３０以上に設定される。このような構成によれば、相対的に負荷が低い第１運転領域Ａ１でＥＧＲガスや新気を含む多量のガスを筒内に導入することにより、低負荷運転時のポンピングロスを効果的に低減できるとともに、中間運転領域Ａ３や第２運転領域Ａ２のように相対的に負荷の高い領域での運転時には、相対的に燃料リッチな条件とすることにより、負荷に応じた高いトルクを確保することができる。
【０１１２】
また、上記実施形態では、第１運転領域Ａ１において、吸気行程中の燃料噴射Ｆ１に基づくＣＩ燃焼が行われる一方、第２運転領域Ａ２では、燃料噴射Ｆ２と火花点火ＳＰとが圧縮行程後期から膨張行程初期にかけて実行され、それに基づいてＳＩ燃焼が行われる。このような構成によれば、相対的に負荷の低い第１運転領域Ａ１で、吸気行程中の燃料噴射Ｆ１に基づく均質な混合気をＣＩ燃焼させて高い熱効率を得ることができる。一方、高負荷側の第２運転領域Ａ２では、圧縮行程の後期以降という遅めのタイミングで燃料噴射Ｆ２と火花点火ＳＰとが実行されるため、圧縮上死点を過ぎて筒内温度・圧力がある程度低下してから混合気が火炎伝播により燃焼（ＳＩ燃焼）する。このため、低負荷域でのＣＩ燃焼実現のために仮にエンジンの幾何学的圧縮比がかなり高く（例えば当実施形態のように１６以上に）設定されたとしても、高負荷域で起き易い異常燃焼を確実に回避することができる。
【０１１３】
特に、上記実施形態では、３０ＭＰａ以上という高い噴射圧力によって燃料を噴射することが可能なインジェクタ１０を用いているため、上記第２運転領域Ａ２で行われるＳＩ燃焼の燃焼速度を早めることができる（急速リタードＳＩ燃焼）。したがって、プリイグニッションやノッキングといった異常燃焼の発生を確実に回避しながら、燃焼期間の短い熱効率に優れた燃焼を実現することができる。
【０１１４】
なお、上記実施形態では、吸気弁８のリフト量を可変にする可変機構１３ａを、筒内に導入される新気の量を調整するための吸気量調整手段として用いたが、吸気量調整手段は、新気量を調整できるものであればよく、上記のような可変機構１３ａに限られない。例えば、上記実施形態とは異なり、スロットル弁２５を開閉操作して吸気管２３の流通面積を変更するようにすれば、このスロットル弁２５を吸気量調整手段として用いることができる。
【０１１５】
また、上記実施形態では、各独立排気通路３１，３２，３３の下流端部を、円を３等分したような扇型の断面を有するように形成し、このような断面形状の各下流端部を束ねて全体としてほぼ円形の集約部３４を形成したが、上記各独立排気通路３１，３２，３３の下流端部を並列に近接配置して束ねるようにしてもよい。
【０１１６】
また、上記実施形態では、排気順序が連続しない２つの気筒（２番気筒２Ｂおよび３番気筒２Ｃ）の排気ポート７に、上流側が二股状に分岐した独立排気通路３２を接続し、他の気筒（１番気筒２Ａまたは４番気筒２Ｄ）の排気ポート７に単管状の独立排気通路３１，３３を接続したが、４つの気筒２Ａ〜２Ｄの排気ポート７の全てに、独立排気通路３１，３３と同様の単管状の通路を接続し、これらの独立排気通路の各下流端部を束ねて集約部を形成してもよい。
【符号の説明】
【０１１７】
１  エンジン本体
２Ａ〜２Ｄ  気筒
７  排気ポート
９  排気弁
１０  インジェクタ
１１  点火プラグ
１３ａ  可変機構（吸気量調整手段）
１４ａ  切替機構
２０  吸気マニホールド
３０  排気マニホールド
３１，３２，３３  独立排気通路
３４  集約部
３５  負圧発生装置
３６  ノズル部
４１，４２，４３  バイパス通路
４５  流通切替弁
５０  ＥＧＲ通路
５１  ＥＧＲ弁
５２  ＥＧＲクーラ
６０  ＥＣＵ（制御手段）
Ａ１  第１運転領域
Ａ２  第２運転領域
Ｔｘ  所定負荷（第１所定負荷）
Ｔｙ  所定負荷（第２所定負荷）
【図１】
0005880259.tif 000002
【図２】
0005880259.tif 000003
【図３】
0005880259.tif 000004
【図４】
0005880259.tif 000005
【図５】
0005880259.tif 000006
【図６】
0005880259.tif 000007
【図７】
0005880259.tif 000008
【図８】
0005880259.tif 000009
【図９】
0005880259.tif 000010
【図１０】
0005880259.tif 000011
【図１１】
0005880259.tif 000012
【図１２】
0005880259.tif 000013
【図１３】
0005880259.tif 000014
【図１４】
0005880259.tif 000015